(57)【要約】【課題】装置の大型化を抑制しつつ、多数の媒体を安定して積載することができる記録装置を提供する。【解決手段】プリンター１１は、用紙Ｓを給送方向Ｆに給送する給送部２０と、給送部２０から給送された用紙Ｓに対して記録を施す記録部と、給送部２０及び記録部を収容するとともに用紙Ｓの挿入口１２ａが形成された本体ケース１２と、用紙Ｓを支持するための媒体支持部３２及び媒体支持部３２に支持された用紙Ｓの給送方向Ｆと交差する幅方向Ｘにおける端部に当接可能な突部３４を有し、かつ、挿入口１２ａを覆蓋する閉位置から回動することで挿入口１２ａを露出させるとともに用紙Ｓを積載可能な開位置に変位する媒体支持体１６と、本体ケース１２において、閉位置に配置された媒体支持体１６の突部３４と対向する位置に、突部３４を収容可能に形成された収容凹部３９と、を備える。【選択図】図４
2014034183.tif 000002
【特許請求の範囲】
【請求項１】
媒体を給送方向に給送する給送部と、
該給送部から給送された前記媒体に対して記録を施す記録部と、
前記給送部及び前記記録部を収容するとともに前記媒体の挿入口が形成された本体ケースと、
前記媒体を支持するための媒体支持部及び該媒体支持部に支持された前記媒体の前記給送方向と交差する幅方向における端部に当接可能な突部を有し、かつ、前記挿入口を覆蓋する閉位置から回動することで前記挿入口を露出させるとともに前記媒体を積載可能な開位置に変位する媒体支持体と、
前記本体ケースにおいて、前記閉位置に配置された前記媒体支持体の前記突部と対向する位置に、前記突部を収容可能に形成された収容部と、
を備えることを特徴とする記録装置。
【請求項２】
前記媒体支持体は、前記本体ケースに保持される支持本体部と、該支持本体部に対して回動可能に取り付けられ、前記媒体を積載可能な使用位置から回動することで前記支持本体部側に収納される収納位置に変位する延設部とを有し、
前記突部は前記支持本体部から突設されている一方、前記延設部には前記収納位置に収納された場合に前記突部と対向する位置に、前記突部を挿入可能な挿入部が形成されていることを特徴とする請求項１に記載の記録装置。
【請求項３】
前記支持本体部には、前記収納位置に収納された前記延設部を係止可能な係止部が形成されていることを特徴とする請求項２に記載の記録装置。
【請求項４】
前記給送部には、前記幅方向における第１端側に配置される固定媒体案内部と、該固定媒体案内部よりも前記幅方向の第２端側となる位置に前記幅方向への移動が可能な状態で配置される可動媒体案内部とが設けられ、
前記突部は、前記媒体支持体の前記幅方向における前記第１端側に設けられていることを特徴とする請求項１〜請求項３のうち何れか一項に記載の記録装置。
【請求項５】
前記給送部は、前記媒体支持体に支持された前記媒体を前記給送方向に給送するための給送ローラーを有し、
前記媒体の給送経路において、前記給送ローラーは前記幅方向の前記第１端側寄りに配置されていることを特徴とする請求項４に記載の記録装置。
【発明の詳細な説明】
【技術分野】
【０００１】
本発明は、用紙などの媒体を積載可能な状態から回動することで装置本体側に収容される媒体支持体を備える記録装置に関する。
【背景技術】
【０００２】
従来から、記録装置の一例であるインクジェット式プリンターには、用紙などの媒体を積載可能な状態から、回動することで装置本体側に収容される回動式のペーパーサポートを備えるものがある。こうしたペーパーサポートは、用紙を積載可能な開位置に配置された場合に装置本体に設けられた用紙の挿入口を露出させる一方、開位置からの回動により装置本体側に収容された場合には挿入口を覆う閉位置に配置される（例えば、特許文献１）。
【先行技術文献】
【特許文献】
【０００３】
【特許文献１】特開２００７−２７６９３１号公報
【発明の概要】
【発明が解決しようとする課題】
【０００４】
ところで、こうしたペーパーサポートは、傾斜した状態で用紙を支持するため、特に多数の用紙を積載した場合には、用紙がばらついたり、傾いたりしてしまうことがある。そのため、多数の用紙を安定して積載するには、積載した用紙の給送方向と交差する幅方向における端部に当接するエッジガイドをペーパーサポートに設けるのが好ましい。しかし、こうしたエッジガイドはペーパーサポートから突出する態様となるため、ペーパーサポートを装置本体側に収容した場合に装置が大型化してしまうという課題がある。
【０００５】
なお、こうした課題は、ペーパーサポートを有するプリンターに限らず、用紙のような媒体を積載可能な回動式の媒体支持体を備える記録装置においては、概ね共通したものとなっている。
【０００６】
本発明は、こうした実情に鑑みてなされたものであり、その目的は、装置の大型化を抑制しつつ、多数の媒体を安定して積載することができる記録装置を提供することにある。
【課題を解決するための手段】
【０００７】
上記課題を解決する記録装置は、媒体を給送方向に給送する給送部と、該給送部から給送された前記媒体に対して記録を施す記録部と、前記給送部及び前記記録部を収容するとともに前記媒体の挿入口が形成された本体ケースと、前記媒体を支持するための媒体支持部及び該媒体支持部に支持された前記媒体の前記給送方向と交差する幅方向における端部に当接可能な突部を有し、かつ、前記挿入口を覆蓋する閉位置から回動することで前記挿入口を露出させるとともに前記媒体を積載可能な開位置に変位する媒体支持体と、前記本体ケースにおいて、前記閉位置に配置された前記媒体支持体の前記突部と対向する位置に、前記突部を収容可能に形成された収容部と、を備える。
【０００８】
この構成によれば、媒体支持部に多数の媒体を積載した場合にも、媒体支持体に設けられた突部が媒体の幅方向における端部に当接することで、媒体支持部上における媒体のばらつきや傾きを抑制することができる。また、媒体支持体が閉位置に配置される場合に、媒体支持体に設けられた突部は本体ケースに形成された収容部に収容されるので、突部を設けることによる装置の大型化を抑制することができる。したがって、装置の大型化を抑制しつつ、多数の媒体を安定して積載することができる。
【０００９】
上記記録装置において、前記媒体支持体は、前記本体ケースに保持される支持本体部と、該支持本体部に対して回動可能に取り付けられ、前記媒体を積載可能な使用位置から回動することで前記支持本体部側に収納される収納位置に変位する延設部とを有し、前記突部は前記支持本体部から突設されている一方、前記延設部には前記収納位置に収納された場合に前記突部と対向する位置に、前記突部を挿入可能な挿入部が形成されていることが好ましい。
【００１０】
この構成によれば、媒体支持体は延設部を有するので、サイズの大きい媒体であっても安定して積載することができる。また、延設部は使用位置から回動することで支持本体部側に収納されるので、装置の大型化を抑制することができる。そして、延設部が収納位置に配置された場合には、媒体支持体に設けられた突部が延設部に形成された挿入部に挿入されるので、突部と延設部との干渉を回避することができる。
【００１１】
上記記録装置において、前記支持本体部には、前記収納位置に収納された前記延設部を係止可能な係止部が形成されていることが好ましい。
この構成によれば、延設部が収納位置に収納された場合には、支持本体部に設けられた係止部が延設部を係止するので、延設部を収納位置から回動させることなく、媒体支持体を開位置と閉位置との間で変位させることができる。
【００１２】
上記記録装置において、前記給送部には、前記幅方向における第１端側に配置される固定媒体案内部と、該固定媒体案内部よりも前記幅方向の第２端側となる位置に前記幅方向への移動が可能な状態で配置される可動媒体案内部とが設けられ、前記突部は、前記媒体支持体の前記幅方向における前記第１端側に設けられていることが好ましい。
【００１３】
この構成によれば、固定媒体案内部及び突部によって媒体の幅方向における第１端側の位置決めを行うとともに、可動媒体案内部によって媒体の幅方向における第２端側の位置決めを行うことができる。
【００１４】
上記記録装置において、前記給送部は、前記媒体支持体に支持された前記媒体を前記給送方向に給送するための給送ローラーを有し、前記媒体の給送経路において、前記給送ローラーは前記幅方向の前記第１端側寄りに配置されていることが好ましい。
【００１５】
この構成によれば、給送ローラーは給送経路において幅方向の第１端側寄りに配置されているので、可動媒体案内部によって第１端側に寄せられた媒体を給送する場合に、媒体が給送方向に対して傾いてしまう斜行を抑制することができる。
【図面の簡単な説明】
【００１６】
【図１】一実施形態の記録装置の斜視図。
【図２】記録装置が備える媒体支持体及び給送部を示す斜視図。
【図３】使用状態とされた媒体支持体の一部を拡大して示す斜視図。
【図４】媒体支持体が使用状態とされた記録装置の斜視図。
【図５】媒体支持体及び蓋部が開位置に配置された記録装置の斜視図。
【図６】媒体支持体が使用状態とされた記録装置の断面図。
【発明を実施するための形態】
【００１７】
以下、記録装置をインクジェット式プリンターに具体化した一実施形態について、図を参照して説明する。
図１に示すように、本実施形態のプリンター１１は、略直方体形状の本体ケース１２を備えている。
【００１８】
本体ケース１２の一側面には、プリンター１１の各種操作を行うための操作部（例えば操作ボタン）１３が配置されている。また、本体ケース１２の一側面において操作部１３の下方には、排紙口１４が開口している。さらに、本体ケース１２において排紙口１４の下方には、伸縮式の排紙トレイ１５が収容されている。
【００１９】
なお、本実施形態においては、反重力方向を上方向、重力方向を下方向として、上方向及び下方向に沿う方向を上下方向Ｚとして図示する。また、本体ケース１２の排紙口１４が開口した一側面をプリンター１１の前面とする一方、その反対側の側面を後面として、後面側から前面側に向かう方向を搬送方向Ｙとして図示する。さらに、上下方向Ｚ及び搬送方向Ｙと交差（本実施形態においては直交）する方向を幅方向Ｘとして図示する。そして、本実施形態においては、幅方向Ｘが本体ケース１２の長手方向となっている。
【００２０】
本体ケース１２の上側後部には、回動式の媒体支持体１６と、本体ケース１２内のメンテナンス等を行う場合に開閉される蓋部１７とを開閉可能に保持する保持部１８が設けられている。また、蓋部１７には、閉状態とされた場合に媒体支持体１６と上下方向Ｚに重複する位置に、媒体支持体１６を収容するための支持体収容部１９が凹設されている。媒体支持体１６及び蓋部１７は、プリンター１１の不使用時などには図１に示す閉位置に配置される。そして、媒体支持体１６及び蓋部１７は、前端側が上方に向けて回動することで開位置に配置される。
【００２１】
図２に示すように、媒体支持体１６が開位置に配置されることで、媒体の一例である用紙Ｓを挿入するために本体ケース１２の上側後部に形成された挿入口１２ａが露出する。また、挿入口１２ａが露出すると、挿入口１２ａを通じて本体ケース１２内に収容された給送部２０の一部が視認可能となる。なお、給送部２０は、挿入口１２ａを通じて本体ケース１２内に挿入された用紙Ｓを給送方向Ｆに給送するものである。
【００２２】
給送部２０には、ホッパー２２と、一対のエッジガイド２３，２４とが設けられている。なお、幅方向Ｘにおいて右側（第１端側）に設けられた固定媒体案内部の一例であるエッジガイド２３は固定されている一方、幅方向Ｘにおいて左側（第２端側）に設けられた可動媒体案内部の一例であるエッジガイド２４は幅方向Ｘに移動可能に設けられている。
【００２３】
媒体支持体１６は、本体ケース１２に対して基端側（図１では下端側）が係合する支持本体部２５と、支持本体部２５よりも幅方向Ｘ及び給送方向Ｆにおける長さが短い延設部２６とを備えている。支持本体部２５の基端側には、本体ケース１２の保持部１８と対向する位置から、一対の第１回動軸２７が幅方向Ｘに突設されている。そして、支持本体部２５の対をなす第１回動軸２７は、保持部１８に形成された軸受け部１８ａに回動可能に支持されている。
【００２４】
閉位置において本体ケース１２の支持体収容部１９と対向する支持本体部２５の表面２５ａ側には、延設部２６を収納可能な収納部２８が形成されている。なお、図２において、延設部２６は収納部２８に収納された収納位置に配置されている。
【００２５】
収納部２８は、給送方向Ｆに延びるとともに幅方向Ｘに並ぶ一対の収納リブ２９によって構成されている。また、延設部２６及び収納部２８は、プリンター１１が記録可能な用紙Ｓの最大サイズ（例えば、Ａ４サイズ）の幅方向Ｘにおける長さと対応するように形成されている。
【００２６】
支持本体部２５の表面２５ａ側には、用紙Ｓを支持するための媒体支持部３２が形成されている。本実施形態において、媒体支持部３２は、給送方向Ｆに延びるとともに幅方向Ｘに並ぶ複数の本体側案内リブ３３によって構成されている。
【００２７】
支持本体部２５の表面２５ａ側には、幅方向Ｘにおける第１端側（図２における右端側）に突部３４が突設されている。なお、突部３４の左面側には、媒体支持部３２に支持された用紙Ｓの給送方向Ｆと交差する幅方向Ｘにおける端部に当接可能な位置決め面３５が形成されている。一方、突部３４の右面側には、補強リブ３６が複数（本実施形態では２つ）設けられている。また、延設部２６には、収納部２８に収納された場合に突部３４と対応する位置に、挿入部の一例としての挿通孔３８が形成されている。
【００２８】
図３に示すように、延設部２６には、給送方向Ｆにおける基端側（図２における下端側）から、一対の第２回動軸３７が幅方向Ｘに突設されている。一方、対をなす収納リブ２９には、傾斜姿勢において上端側となる部分に一対の軸孔２９ｄが形成されている。そして、延設部２６は第２回動軸３７が軸孔２９ｄに挿通されることで、支持本体部２５に対して回動可能に支持されている。
【００２９】
また、対をなす収納リブ２９には、収納部２８に収納された延設部２６を係止するための一対の係止部２９ａが形成されている。なお、係止部２９ａは、給送方向Ｆに延びる板ばね部２９ｂと、板ばね部２９ｂの先端側から収納部２８の内側に向けて突設された係止爪２９ｃとを有している。
【００３０】
図４に示すように、本体ケース１２の支持体収容部１９には、媒体支持体１６が閉状態とされた場合に突部３４と対向する位置に、突部３４を収容可能に形成された収容部の一例としての収容凹部３９が凹設されている。また、延設部２６が収納位置から第２回動軸３７を中心に回動されて図４に示す使用位置に変位すると、延設部２６の表面２６ａ側に形成された媒体支持部４０が露出する。本実施形態において、媒体支持部４０は、給送方向Ｆに延びるとともに幅方向Ｘに並ぶ複数の補助案内リブ４１によって構成されている。
【００３１】
媒体支持体１６は、図４に示すように支持本体部２５が開位置に配置されるとともに延設部２６が使用位置に配置される使用状態において、複数の用紙Ｓが積層された用紙束Ｐを支持可能となる。そして、媒体支持体１６に積載された用紙束Ｐは、幅方向Ｘにおける端部が突部３４の位置決め面３５及びエッジガイド２３，２４に当接することで、幅方向Ｘにおける位置決めがなされる。
【００３２】
延設部２６の幅方向Ｘにおける両端側には、基端側となる部分から表面２５ａ側に向けて一対の被係合部４２が突設されている。対をなす被係合部４２には、収納部２８に収納された場合に係止部２９ａと対応する位置に、一対の被係止孔４３が形成されている。そして、延設部２６が使用位置から回動して収納位置に変位すると、支持本体部２５に設けられた係止部２９ａが被係止孔４３に係合することで、延設部２６が収納位置に保持される。
【００３３】
図５に示すように、蓋部１７が開位置に配置されることで、本体ケース１２の上壁４４及びこの上壁４４に形成された開口部４５が露出する。なお、蓋部１７の下面側には、支持体収容部１９の裏面側となる凸部４６が形成されている。また、凸部４６には、収容凹部３９の裏面側となる凸部４７が形成されている。
【００３４】
本体ケース１２内において開口部４５のやや後方となる位置には、幅方向Ｘに延設される本体フレーム４８が固定されている。本体フレーム４８には、キャリッジ４９が幅方向Ｘに沿って往復移動可能な状態で保持されている。キャリッジ４９の上部には、液体の一例としてのインクを収容した複数のインクカートリッジ５０が着脱可能に装着される。なお、インクカートリッジ５０の着脱は、蓋部１７を開状態にして、開口部４５を通じてキャリッジ４９の上部を露出させた状態で行われる。
【００３５】
図６に示すように、キャリッジ４９の下面側には、インクを噴射可能な記録部５１が保持されている。また、記録部５１の下面側には、図示しない複数の液体噴射ノズルが開口している。
【００３６】
本体ケース１２内には、給送部２０を構成する給送ローラー５２と、給送ローラー５２によって給送された用紙Ｓを搬送方向Ｙに搬送するための搬送ローラー５３，５４とが収容されている。なお、給送ローラー５２は、媒体支持体１６に支持された用紙Ｓを給送方向Ｆに給送するために、給送方向Ｆにおいてホッパー２２の下流側となる位置であって、幅方向Ｘにおいて第１端側（前側から見た場合には右側）寄りとなる位置に配置されている。
【００３７】
ホッパー２２は、媒体支持体１６によって上端側が支持された用紙Ｓの下端側を支持可能な板状をなすとともに、板状に形成された部分の上面側に、給送方向下流側に向けて低くなる傾斜面５５を有している。また、ホッパー２２は、その上端側を中心として下端側が揺動可能になっている。
【００３８】
ホッパー２２は、図６に示す退避位置から図６おける反時計方向に揺動して、退避位置よりも給送ローラー５２側となる給送位置に配置された場合に、用紙束Ｐの下端側を給送ローラー５２側に押し出す。そのため、ホッパー２２が給送位置に配置された状態で給送ローラー５２が回転すると、ホッパー２２に支持された用紙束Ｐの最上部に位置する用紙Ｓが給送方向Ｆの下流側に向けて給送される。
【００３９】
搬送方向Ｙにおいて搬送ローラー５３と搬送ローラー５４との間には、用紙Ｓを支持するための支持部材５６が配置されている。そして、搬送ローラー５３，５４によって搬送方向Ｙに搬送される用紙Ｓに対して、インクカートリッジ５０から供給されたインクを記録部５１が噴射することで、記録（印刷）が行われる。そして、記録が行われた用紙Ｓは、搬送ローラー５３，５４の回転に伴って排紙口１４を通じて本体ケース１２の外側に排出される。
【００４０】
次に、本実施形態のプリンター１１の作用について説明する。
媒体支持体１６は、閉位置から回動することで用紙Ｓを積載可能な開位置に変位する。また、プリンター１１の給送部２０には、多数（例えば、１００枚）の用紙Ｓが積層された用紙束Ｐをセット可能となっている。
【００４１】
そして、用紙束Ｐを給送部２０にセットした場合には、用紙束Ｐの上端側が開位置に配置された媒体支持体１６によって支持される一方、用紙束Ｐの下端側がエッジガイド２３，２４によって位置決めされる。このとき、突部３４の位置決め面３５が用紙束Ｐの幅方向Ｘにおける端部に当接することで、用紙束Ｐのばらつきや傾きが抑制される。
【００４２】
一方、プリンター１１の使用が終了した場合には、使用位置にある延設部２６を回動させて支持本体部２５の収納部２８に収納した後に、開位置にある媒体支持体１６を回動させて蓋部１７の支持体収容部１９に収容する。これにより、媒体支持体１６を装置本体側にコンパクトに収容することが可能になる。
【００４３】
このとき、媒体支持体１６の支持本体部２５から突設された突部３４は、延設部２６の挿通孔３８に挿入されるとともに本体ケース１２の収容凹部３９に収容されるので、媒体支持体１６を収容した場合に装置本体の大型化が抑制される。なお、本体ケース１２に突部３４を挿通可能な挿通孔を設けた場合には、この挿通孔を通じて本体ケース１２内に塵埃等が入り込む虞がある。これに対して、本実施形態では本体ケース１２内と連通しない収容凹部３９に突部３４が収容されるので、こうした虞が回避される。
【００４４】
ここで、媒体支持体１６は、本体ケース１２に保持される支持本体部２５と、支持本体部２５に対して回動可能に取り付けられた延設部２６とを有している。そして、支持本体部２５は、支持体収容部１９に収容可能なサイズとなるように給送方向Ｆにおける長さが短くなっているが、媒体支持体１６は回動式の延設部２６を有しているので、給送方向Ｆにおける長さが長い用紙Ｓを安定して積載することが可能になる。
【００４５】
また、延設部２６は、用紙Ｓを積載可能な使用位置から回動することで支持本体部２５側に収納される収納位置に変位するので、コンパクトに収容することが可能である。さらに、延設部２６には挿通孔３８が形成されているので、収納部２８への収納時に突部３４と干渉することがない。そして、支持本体部２５には、収納位置に収納された延設部２６を係止可能な係止部２９ａが形成されているので、媒体支持体１６を開位置と閉位置との間で変位させる場合に、延設部２６を収納位置に保持しておくことが可能となる。
【００４６】
なお、エッジガイド２３は幅方向Ｘにおける第１端側（図２では右側）に固定されている一方、エッジガイド２４はエッジガイド２３よりも幅方向Ｘの第２端側（図２では左側）となる位置に、幅方向Ｘへの移動が可能な状態で配置されている。また、突部３４は、媒体支持体１６の幅方向Ｘにおける第１端側に設けられている。
【００４７】
そのため、最大サイズよりも小さいサイズの用紙（例えば、はがきサイズの用紙）に対して記録を行う場合には、移動可能なエッジガイド２４で用紙を突部３４側に寄せることで、用紙の幅方向Ｘにおける位置決めが行われる。そして、給送ローラー５２は突部３４と同様に幅方向Ｘの第１端側に配置されているので、第１端側に寄せられた用紙の斜行を抑制しつつ、給送方向Ｆに給送することが可能になる。
【００４８】
上記実施形態によれば、以下のような効果を得ることができる。
（１）媒体支持部３２に多数の用紙Ｓを積載した場合にも、媒体支持体１６に設けられた突部３４が用紙Ｓの幅方向Ｘにおける端部に当接することで、媒体支持部３２上における用紙Ｓのばらつきや傾きを抑制することができる。また、媒体支持体１６が閉位置に配置される場合に、媒体支持体１６に設けられた突部３４は本体ケース１２に形成された収容凹部３９に収容されるので、突部３４を設けることによる装置の大型化を抑制することができる。したがって、装置の大型化を抑制しつつ、多数の用紙Ｓを安定して積載することができる。
【００４９】
（２）媒体支持体１６は延設部２６を有するので、サイズの大きい用紙Ｓであっても安定して積載することができる。また、延設部２６は使用位置から回動することで支持本体部２５側に収納されるので、装置の大型化を抑制することができる。そして、延設部２６が収納位置に配置された場合には、媒体支持体１６に設けられた突部３４が延設部２６に形成された挿通孔３８に挿入されるので、突部３４と延設部２６との干渉を回避することができる。
【００５０】
（３）延設部２６が収納位置に収納された場合には、支持本体部２５に設けられた係止部２９ａが延設部２６を係止するので、延設部２６を収納位置から回動させることなく、媒体支持体１６を開位置と閉位置との間で変位させることができる。
【００５１】
（４）エッジガイド２３及び突部３４によって用紙Ｓの幅方向Ｘにおける第１端側の位置決めを行うとともに、エッジガイド２４によって用紙Ｓの幅方向Ｘにおける第２端側の位置決めを行うことができる。
【００５２】
（５）給送ローラー５２は給送経路において幅方向Ｘの第１端側寄りに配置されているので、エッジガイド２４によって第１端側に寄せられた用紙Ｓを給送する場合に、用紙Ｓが給送方向Ｆに対して傾いてしまう斜行を抑制することができる。
【００５３】
なお、上記実施形態は以下のように変更してもよい。
・本体ケース１２において、突部３４を収容可能な挿通孔や切欠部などを収容部としてもよい。
【００５４】
・延設部２６において、突部３４を挿入可能な凹部や切欠部などを挿入部としてもよい。
・給送ローラー５２を幅方向Ｘにおける中央に配置するとともに、突部３４及び収容凹部３９を幅方向Ｘにおける両端側に設けてもよい。この場合には、用紙Ｓを幅方向Ｘにおける両端側において位置決めすることができる。
【００５５】
・媒体支持体１６が延設部２６を備えない構成としてもよいし、媒体支持体１６が係止部２９ａを備えない構成としてもよい。
・媒体支持体１６は、プリンター１１を備える複合機やＦＡＸなどに適用してもよい。
【００５６】
・媒体は用紙に限らず、フィルムや金属板、布帛などでもよい。
・プリンター１１は、インクジェット式プリンターの他、レーザープリンターやドラム方式プリンター、タンデム方式等プリンター、熱転写式プリンター（昇華型プリンターを含む）またはノンインパクトプリンターでもよいし、ドットインパクトプリンターなどのインパクトプリンターでもよい。
【００５７】
・プリンター１１は、上記実施形態のようなシリアルプリンターの他、幅方向Ｘにおいて媒体の幅全体と対応した全体形状をなすフルラインヘッド型プリンターなどのラインプリンターでもよい。
【００５８】
・インクカートリッジ５０は、上記実施形態のようにキャリッジ４９上に搭載される所謂オンキャリタイプのインクカートリッジであってもよいし、本体ケース１２内においてキャリッジ４９以外の所定箇所に搭載される所謂オフキャリタイプのインクカートリッジであってもよい。
【００５９】
・上記実施形態において、記録装置は、インク以外の他の流体（液体や、機能材料の粒子が液体に分散または混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうち何れか一種の流体噴射装置に本発明を適用することができる。なお、本明細書において「流体」とは、例えば液体（無機溶剤、有機溶剤、溶液、液状樹脂、液状金属（金属融液）等を含む）、液状体、流状体、気体、粉粒体（粒体、粉体を含む）などが含まれる。
【符号の説明】
【００６０】
１１…記録装置の一例としてのプリンター、１２…本体ケース、１２ａ…挿入口、１６…媒体支持体、２０…給送部、２３…固定媒体案内部の一例であるエッジガイド、２４…可動媒体案内部の一例であるエッジガイド、２５…支持本体部、２６…延設部、２９ａ…係止部、３２…媒体支持部、３４…突部、３８…挿入部の一例としての挿通孔、３９…収容部の一例としての収容凹部、５１…記録部、５２…給送ローラー、Ｆ…給送方向、Ｓ…媒体の一例としての用紙、Ｘ…幅方向。
【図１】
2014034183.tif 000003
【図２】
2014034183.tif 000004
【図３】
2014034183.tif 000005
【図４】
2014034183.tif 000006
【図５】
2014034183.tif 000007
【図６】
2014034183.tif 000008